(57)【要約】【課題】分割・集約された１つの原稿を１回の読み取り動作で蓄積された原稿画像データの必要な部分を複数回に分けて出力したり、必要な画像だけを任意に出力したりすることを可能し、これらの作業性を向上させること。【解決手段】スキャナ１０６と、画像メモリ１５４と、操作表示部１５３と、を有し、記録紙に画像を形成するデジタル複写機であって、分割・集約された１つの原稿をスキャナ１０６で読み取り、画像メモリ１５４に記憶すると共に操作表示部１５３に概略の画像レイアウトを表示し、その画像レイアウトによる出力位置情報にしたがって記録紙に画像を形成するプリンタエンジン１５１を備える。【選択図】　　　図２
2004112286.tif 000002
【特許請求の範囲】
【請求項１】
原稿をデジタルの画像データとして読み取る原稿読取手段と、
前記原稿読取手段で読み取った画像データを記憶する画像記憶手段と、
分割・集約された１つの原稿から任意の画像の記録を操作指示するための操作・表示手段と、
を有し、記録紙に画像を形成するデジタル複写機であって、
前記分割・集約された１つの原稿を前記原稿読取手段で読み取り、前記画像記憶手段に記憶すると共に前記操作・表示手段に概略の画像レイアウトを表示し、前記画像レイアウトによる出力位置情報にしたがって記録紙に画像を形成する画像形成手段を備えたことを特徴とするデジタル複写機。
【請求項２】
前記操作・表示手段は、前記画像レイアウトによる出力位置と当該画像の出力枚数を任意に指示可能に表示することを特徴とする請求項１に記載のデジタル複写機。
【請求項３】
前記操作・表示手段は、前記画像レイアウトによる出力位置を任意の領域で指示可能に表示することを特徴とする請求項１または２に記載のデジタル複写機。
【請求項４】
前記画像形成手段は、記録紙サイズまたは指定の倍率に合わせて変倍処理を実行することを特徴とする請求項３に記載のデジタル複写機。
【発明の詳細な説明】
【０００１】
【発明の属する技術分野】
本発明は、分割・集約された１つの原稿を一回の読み取り動作で蓄積された原稿画像データの必要な部分を複数回に分けて出力する機能を備えたデジタル複写機に関する。
【０００２】
【従来の技術】
近年のデジタル複写機では、多種多様の画像の編集、加工が可能になっている。たとえば、画像の変倍、影付け、中抜きあるいは白黒反転機能を始め、２点あるいはその組み合わせによる複数領域の指定を行ない、指定された領域内の画像を削除したり、反対に指定された領域内の画像のみを複写したりする機能や原稿から必要な画像部分のみを取り出して任意位置への配置や複数の画像を合成する機能を備えている（特許文献１参照。）。
【０００３】
【特許文献１】
特開平５−６８１６１号公報
【０００４】
【発明が解決しようとする課題】
しかしながら、上記に示されるような、従来のデジタル複写機にあっては、分割・集約された一つの原稿を１回の読み取り動作で複数回に分けて複写することができる機能を備えていないため、複写した記録紙を切り取る手作業が必要になったり、原稿の読み取り位置を変え、再度、読み取り動作を行なう必要があった。すなわち、分割・集約された一つの原稿から、その特定のページや画像を出力する場合、１回の読み取り動作で所望の複写が行なわれないため、当該複写においては煩わしい作業となっていた。
【０００５】
本発明は、上記に鑑みてなされたものであって、分割・集約された一つの原稿を１回の読み取り動作で蓄積された原稿画像データの必要な部分を複数回に分けて出力したり、必要な画像だけを任意に出力したりすることを可能し、これらの作業性を向上させることを目的とする。
【０００６】
【課題を解決するための手段】
上記の目的を達成するために、請求項１にかかるデジタル複写機にあっては、原稿をデジタルの画像データとして読み取る原稿読取手段と、前記原稿読取手段で読み取った画像データを記憶する画像記憶手段と、分割・集約された１つの原稿から任意の画像の記録を操作指示するための操作・表示手段と、を有し、記録紙に画像を形成するデジタル複写機であって、前記分割・集約された１つの原稿を前記原稿読取手段で読み取り、前記画像記憶手段に記憶すると共に前記操作・表示手段に概略の画像レイアウトを表示し、前記画像レイアウトによる出力位置情報にしたがって記録紙に画像を形成する画像形成手段を備えたものである。
【０００７】
この発明によれば、分割・集約された１つの原稿を原稿読取手段で読み取り、画像記憶手段に記憶すると共に操作・表示手段に概略の画像レイアウトを表示し、画像レイアウトによる出力位置情報にしたがって記録紙に画像を形成することにより、従来、それぞれ複写し、複写した後に切り取るといった操作が、一回の読み取り動作および選択指示によって実現する。
【０００８】
また、請求項２にかかるデジタル複写機にあっては、前記操作・表示手段は、前記画像レイアウトによる出力位置と当該画像の出力枚数を任意に指示可能に表示するものである。
【０００９】
この発明によれば、請求項１において、画像レイアウトによる出力位置と当該画像の出力枚数を任意に指示可能に表示することにより、原稿の必要な部分を任意の枚数で出力することが可能になる。
【００１０】
また、請求項３にかかるデジタル複写機にあっては、前記操作・表示手段は、前記画像レイアウトによる出力位置を任意の領域で指示可能に表示するものである。
【００１１】
この発明によれば、請求項１または２において、画像レイアウトによる出力位置を任意の領域で指示可能に表示することにより、利用者が希望とする原稿の必要部分を取り出すことができる。
【００１２】
また、請求項４にかかるデジタル複写機にあっては、前記画像形成手段は、記録紙サイズまたは指定の倍率に合わせて変倍処理を実行するものである。
【００１３】
この発明によれば、請求項３において、画像レイアウトによる出力位置を任意の領域で指示可能に表示し、利用者が希望とする原稿の必要部分を取り出す際に、記録紙サイズまたは指定の倍率に合わせて変倍処理を行なうことにより、その取り出した必要部分がみやすい状態で出力することが可能になる。
【００１４】
【発明の実施の形態】
以下、本発明にかかるデジタル複写機の好適な実施の形態について添付図面を参照し、詳細に説明する。なお、本発明はこの実施の形態に限定されるものではない。
【００１５】
本発明は、デジタル複写機において、分割・集約された１つの原稿を一回の読み取り動作で蓄積された原稿画像データの必要な部分を複数回に分けて出力可能にし、さらに変倍可能に出力するものである。以下、具体的に説明する。
【００１６】
図１は、この発明を実施したデジタル複写機の機構部の構成例を示す図である。自動原稿送り装置（以下、ＡＤＦという）１０１にある原稿台１０２に、原稿の画像面を上にして置かれた原稿束は、操作部上のスタートキーが押下されると、一番下の原稿から給送ローラ１０３および給送ベルト１０４によってコンタクトガラス１０５上の所定の位置に給送される。スキャナ１０６によってコンタクトガラス１０５上の原稿の画像データを読み取った後、読み取りが終了された原稿は、給送ベルト１０４および排送ローラ１０７によって排出される。さらに、原稿セット検知１０８にて原稿台１０２につぎの原稿が有ることを検知した場合、前原稿と同様にコンタクトガラス１０５上に給送される。給送ローラ１０３，給送ベルト１０４および排送ローラ１０７はモータによって駆動される。
【００１７】
第１トレイ１０９あるいは第２トレイ１１０、第３トレイ１１１に積載された記録紙は、それぞれ第１給紙装置１１２あるいは第２給紙装置１１３、第３給紙装置１１４によって給紙され、縦搬送ユニット１１５により感光体ドラム１１６に当接する位置まで搬送される。スキャナ１０６にて読み込まれた画像データは、書き込みユニット１１７からのレーザーによって感光体ドラム１１６に書き込まれ、現像ユニット１１８を通過することによってトナー像が形成される。そして、記録紙は感光体ドラム１１６の回転と等速で搬送ベルト１１９によって搬送されながら、感光体ドラム１１６上のトナー像が転写される。その後、定着ユニット１２０にて画像を定着させ、排紙ユニット１２１によって後処理装置のフィニッシャー１２２に排出される。
【００１８】
後処理装置のフィニッシャー１２２は、本体の排紙ローラによって搬送された記録紙を、通常、排紙ローラ１３２方向と、ステープル処理部方向に導くことができる。切り替え板１２４を上に切り替えることにより、搬送ローラ１２３を経由して通常排紙トレイ１２６側に排紙することができる。また、切り替え板１２４を下方向に切り替えることで、搬送ローラ１２５，１２７を経由して、ステープル台１２８に搬送することができる。
【００１９】
ステープル台１２８に積載された記録紙は、一枚排紙されるごとに紙揃え用のジョガー１２９によって、紙端面が揃えられ、一部のコピー完了と共にステープラ１３０によって綴じられる。ステープラ１３０で綴じられた記録紙群は自重によって、ステープル完了排紙トレイ１３１に収納される。
【００２０】
一方、排紙トレイ１２８は前後に移動可能な排紙トレイである。前後に移動可能な排紙トレイ１２８は、原稿毎、あるいは画像メモリによってソーティングされたコピー部毎に、前後に移動し、簡易的に排出されてくるコピー紙を仕分けるものである。
【００２１】
記録紙の両面に画像を作像する場合は、第１トレイ１０９あるいは第２トレイ１１０、第３トレイ１１１から給紙され作像された記録紙を排紙トレイ側に導かないで、経路切り替えのための分岐爪を上側にセットすることで、一旦両面給紙ユニット１３４にストックする。
【００２２】
その後、両面給紙ユニット１３４にストックされた記録紙は再び感光体ドラム１１６に作像されたトナー画像を転写するために、両面給紙ユニット１３４から再給紙され、経路切り替えのための分岐爪を下側にセットし、排紙トレイ１２６に導く。このように記録紙の両面に画像を作成する場合に両面給紙ユニット１３４は使用される。
【００２３】
感光体ドラム１１６，搬送ベルト１１９，定着ユニット１２０，排紙ユニット１２１および現像ユニット１１８は、メインモータによって駆動され、第１給紙装置１１２，第２給紙装置１１３，第３給紙装置１１４はメインモータの駆動をそれぞれの給紙クラッチによって伝達駆動される。縦搬送ユニット１１５はメインモータの駆動を中間クラッチによって伝達駆動される。
【００２４】
スキャナ１０６は、原稿を載置するコンタクトガラス１０５と光学走査系で構成されており、光学走査系は、露光ランプ１３５，第１ミラー１３６，レンズ１３７，ＣＣＤイメージセンサ１３８等々で構成されている。露光ランプ１３５および第１ミラー１３６は、図示しない第１キャリッジ上に固定され、第２ミラー１３９および第３ミラー１４０は、図示しない第２キャリッジ上に固定されている。原稿像を読み取るときには、光路長が変わらないように、第１キャリッジと第２キャリッジとが２対１の相対速度で機械的に走査される。この光学走査系は、図示しないスキャナ駆動モータにて駆動される。
【００２５】
原稿画像は、ＣＣＤイメージセンサ１３８によって読み取られ、電気信号（アナログ画像信号）に変換され、そしてデジタルデ−タ（画像デ−タ）に変換される。画像デ−タにはさらに数種の画像処理が施される。レンズ１３７およびＣＣＤイメージセンサ１３８を図１において左右方向に移動させることにより、画像倍率が変わる。すなわち、指定された倍率に対応してレンズ１３７およびＣＣＤイメージセンサ１３８の左右方向に位置が設定される。
【００２６】
書き込みユニット１１７は、レーザ出力ユニット１４１，結像レンズ１４２およびミラー１４３などで構成され、レーザ出力ユニット１４１の内部には、レーザ光源であるレーザダイオードおよびモータによって高速で定速回転する回転多面鏡（ポリゴンミラー）などが備わっている。レーザ出力ユニット１４１より照射されるレーザ光は、定速回転するポリゴンミラーで走査され、結像レンズ１４２を通り、ミラー１４３で折り返され、感光体ドラム１１６面上に集光し結像する。
【００２７】
レーザ光は、感光体ドラム１１６が回転する方向と直交する方向（主走査方向）に露光走査され、画像処理部のセレクタ（図示せず）より出力された画像信号のライン単位の記録を行う。感光体ドラム１１６の回転速度と記録密度に対応した所定の周期で主走査を繰り返すことによって、感光体面上に画像（静電潜像）が形成される。上述のように、書き込みユニット１１７から出力されるレーザ光が、画像作像系の感光体ドラム１１６に照射される。
【００２８】
図示しないが感光体ドラム１１６の一端近傍の、レーザ光が照射される位置に、主走査同期信号を発生するビームセンサが配置されている。この主走査同期信号をもとに主走査方向の画像記録開始タイミングの制御、および画像信号の入出力を行なうための制御信号の生成を行なう。
【００２９】
なお、この実施の形態におけるスキャナ１０６は、６００ｄｐｉで１画素あたり８ｂｉｔ、すなわち２５６階調で読み取ったデータを送出する。また、書き込みユニット１１７は、標準として主走査・副走査方向ともに１２００ｄｐｉで２値データ、すなわち１ドットをオンかオフで書込み、作像部によって高精細な画像が形成される。
【００３０】
また、レーザ光を高速変調して１ドットあたり２ｂｉｔデータ、すなわち４値で書込むモードも備えている。さらに、モードに応じて書込み解像度を可変する機能を備え、２４００ｄｐｉ、あるいは主走査方向１２００ｄｐｉ、副走査方向６００ｄｐｉの縦横扁平なピッチで書込むことも可能である。
【００３１】
図２は、本発明のデジタル複写機の機能的構成を示すブロック図である。デジタル複写機において、システムコントローラ１５０は、スキャナ１０６により、分割・集約された１つの原稿を一回の読み取り、これを画像メモリ１５４に蓄積すると共に、その原稿の状態がわかる程度の概略レイアウト（間引きなどにより実現）を操作表示部１５３の液晶タッチパネル２０５に選択可能に表示し、ここで選択された原稿の必要な部分を複数回に分けて出力する。
【００３２】
図３は、図１のデジタル複写機における制御系の一部構成を示すブロック図である。符号１５０は画像形成装置全体を統括的に制御するシステムコントローラである。このシステムコントローラ１５０には、スキャナ１０６と、プリンタエンジン１５１と、操作・表示部１５３と、画像メモリ１５４と、画像処理部１５２と、が接続されている。
【００３３】
プリンタエンジン１５１は、画像データにしたがってレーザ変調し、帯電後の感光体ドラム１１６に光学的に書き込む動作を行なう書き込みユニット１１７、帯電チャージャ（不図示）、感光体ドラム１１６、現像ユニット１１８など電子写真プロセスにしたがって画像形成を行なうものである。
【００３４】
画像メモリ１５４は、読み取った原稿の画像データや白紙画像データを記憶しておくものである。また、画像メモリ１５４は、多くの画像データを記憶するためハードディスクなどの大容量のストレージを用いてもよい。この場合、ハードディスクを用いることにより、外部電源が不要で永久的に画像データを保持できるメリットがある。画像処理部１５２は、シェーディング補正された画像データに対し、ＭＴＦ補正、γ補正、シフト処理、変倍処理、マスク処理、階調処理などの画像処理を実行する。操作・表示部１５３は、コピー枚数の設定、移動、消去などの画像編集の設定、出力位置選択の設定など、各種モードの設定を行なうために用いられる。
【００３５】
また、画像メモリ１５４の機能を利用して、複数枚の原稿画像を、画像メモリの記録紙１枚分のエリアを分割したエリアに順次読み込むことも可能である。たとえば、４枚の原稿画像を、画像メモリの記録紙１枚分の４等分されたエリアに順次書き込むことにより、４枚の原稿が１枚の記録紙イメージに合成された集約されたコピー出力を得る。このような機能は一般に集約機能あるいは集約コピーと呼称されている。なお、原稿画像は、たとえばシステムコントローラ１５０に設けられた画像圧縮装置によって圧縮された後、画像メモリ１５４に送られるように構成されている。
【００３６】
図４は、図２・図３における操作・表示部１５３の構成例を示す説明図である。図において、符号２０５は装置の状態表示や初期設定や各種モードを設定する液晶タッチパネル、符号２０２はコピー開始などのときに押下されるスタートキー、符号２０３はクリア・ストップキー、符号２０４はコピー部数などを入力するためのテンキー、符号２０５は液晶タッチパネル、符号２０６はファンクションキー、符号２０７は初期設定キー、符号２０８はモードクリアキーである。
【００３７】
図５は、液晶タッチパネル２０５の表示例を示す説明図である。液晶タッチパネル２０５には、ファンクションキー、部数、装置の状態を示すメッセージなどが表示される。オペレータが液晶タッチパネル２０５に表示されたキーにタッチすることにより、選択された機能を示すキーが黒く反転する。また、機能の詳細を指定しなければならない場合（たとえば、変倍であれば変倍値など）は、キーをタッチすることにより、詳細機能の設定画面が表示される。このように、液晶タッチパネル２０５は、ドット表示器を使用しているため、そのときの最適な表示をグラフィカルに行なうことが可能に構成されている。
【００３８】
図５において、符号２１０はページ指定キーである。このページ指定キー２１０を押下すると、後述するように、図６の表示画面が出力され、２度押下すると図７の表示画面が出力される。
【００３９】
図６は、分割・集約された１つの読取原稿から任意ページを出力指定する表示画面例を示す説明図である。図において、符号２１１はページ指定画面、符号２１２はページ指定ボタン、符号２１３はページ毎の出力枚数、符号２１４はページ毎の倍率、符号２１５は確認キー、符号２１６はキャンセルキーである。
【００４０】
図７は、分割・集約された１つの読取原稿から任意のエリアを出力指定する表示画面例を示す説明図である。図において、符号２１７はエリア指定画面、符号２１８はエリア指定ボタン、符号２１９はエリア毎の出力枚数・倍率である。
【００４１】
つぎに、以上のように構成されたデジタル複写機の動作について説明する。使用する原稿の種類として４分割の原稿（この原稿例を図８に示す）を選択した場合を例にとって説明する。また、図９〜図１３は出力画像例を示すものである。
【００４２】
まず、オペレータは、操作・表示部１５３の液晶タッチパネル２０５上においてページ指定キー２０５（図５参照）を押下し、ページ指定画面２１１（図６参照）を表示出力する。ここで、ページ指定ボタン２１２上から任意のページを選択し、出力枚数、倍率（用紙サイズに合わせての自動変倍である場合には指定不要）をそれぞれのキーを押下した後、テンキー２０４を用いて入力し、最後に確認キー２１５を押下することで設定が確定される。
【００４３】
つぎに、スタートキー２０２が押下されると、システムコントローラ１５０はスキャナ１０６のモードチェックを行ない、ＡＤＦモードであればセットされている原稿をコンタクトガラス１０５上に搬送し、他方、圧板モード（ＡＤＦモードではない場合）であれば原稿サイズチェックを行ない、スキャナ１０６による原稿（図８参照）の読み取りを実行する。スキャナ１０６で読み取られた画像データは、スキャナ１０６から画像処理部１５２へ送られ、画像メモリ１５４に記憶される。
【００４４】
出力位置の選択がされていると画像メモリ１５４に記憶されている画像データを特定の位置から出力して画像処理部１５２に送る。さらにこの画像データは画像処理部１５２からプリンタエンジン１５１へ送られ、所定のプロセスを経て記録紙に画像形成される。この出力例を図９の符号３０１に示す。
【００４５】
出力位置の選択によりつぎの画像データの出力がある場合には、画像メモリ１５４から出力する画像データの出力位置を変更して画像処理部１５２へ送る。この画像データは、画像処理部１５２からプリンタエンジン１５１へ送られ、所定のプロセスを経て記録紙に画像形成される。この出力例を図９の符号３０２に示す。このように、出力位置の選択により設定された回数、たとえば４回分の画像データを記録紙に出力する。この出力例を図９の符号３０３，３０４に示す。
【００４６】
つぎに、上述した一連の動作を図１４および図１５に示すフローチャートを用いて説明する。図１４はスキャン動作による画像データの記憶動作までを示すものであり、同図において、まず、操作・表示部１５３の液晶タッチパネル２０５を介して出力位置の選択が行なわれると、その処理を実行し（ステップＳ１０１）、スタートキー２０２が押下されることによるスキャン開始であるか否かを判断する（ステップＳ１０２）。ここで、スキャン開始でない場合には待機状態とする（ステップＳ１０３）。
【００４７】
ステップＳ１０２において、スキャン開始であると判断したならば、スキャナ１０６によるスキャン（露光走査）を開始する（ステップＳ１０４）。続いて、スキャナ１０６で読み取った画像データをライン毎に画像メモリ１５４に記憶（格納）し（ステップＳ１０５）、スキャンが終了したか否かを判断し（ステップＳ１０６）、スキャン動作が終了するまでその読み取り動作を実行する。
【００４８】
図１５は、出力位置の選択による出力動作を示すフローチャートである。図において、まず、出力位置の選択がなされたか否かを判断する（ステップＳ２０１）。ここで、出力位置の選択がなされたと判断した場合、出力位置の設定を行ない（ステップＳ２０２）、さらに出力回数を減算または加算して（ステップＳ２０３）、画像データを出力し（ステップＳ２０４）、画像処理部１５２において所定の画像処理を行なう（ステップＳ２０５）。
【００４９】
続いて、画像データの出力が終了したか否かを判断し（ステップＳ２０６）、画像データの出力が終了した場合には次の出力位置選択の画像データがあるか否かを判断する（ステップＳ２０７）。ここで、次の出力位置選択の画像データがある場合にはステップＳ２０２に戻り、同様の処理を繰り返し実行する。
【００５０】
つぎに、出力位置と出力回数を任意に選択した場合の動作について説明する。まず、使用する原稿の種類を操作・表示部１５３の出力位置選択機能で行ない、出力位置と出力回数を任意に設定する。なお、本例では、図８の左上（Ｐ１）と右下（Ｐ４）の図形を中央出力に選択した場合を例にとって説明する。前述と同様に、スキャナ１０６により原稿（図８参照）を読み取り、その画像データを画像メモリ１５４に記憶する。
【００５１】
画像メモリ１５４に記憶された画像データを特定の位置から出力して画像処理部１５２へ送る。この画像データは、画像処理部１５２からプリンタエンジン１５１へ送られ、所定のプロセスを経て記録紙に画像形成される。この出力画像の例を図１０の符号４０１に示す。
【００５２】
また、出力位置と出力回数の変更により、画像メモリ１５４から出力する画像データの出力位置を変えて画像データを画像処理部１５２へ送る。この画像データは、画像処理部１５２からプリンタエンジン１５１へ送られ、所定のプロセスを経て記録紙に画像形成される。この出力画像の例を図１０の符号４０２に示す。
【００５３】
つぎに、出力位置、出力回数と出力する画像データの位置を任意に選択した場合について説明する。まず、前述と同様に、使用する原稿の種類を操作・表示部１５３の出力位置選択機能で行ない、出力位置と出力回数を任意に設定する。なお、ここでは、前述と同様に、図８の左上（Ｐ１）と右下（Ｐ４）の図形を中央出力に選択した場合を例にとって説明する。前述と同様に、スキャナ１０６により原稿（図８参照）を読み取り、その画像データを画像メモリ１５４に記憶する。
【００５４】
画像メモリ１５４に記憶された画像データを特定の位置から出力して画像処理部１５２へ送る。この画像データは、画像処理部１５２によりシフト、マスク処理などを施された後、プリンタエンジン１５１へ送られ、所定のプロセスを経て記録紙に画像形成される。この出力画像の例を図１１の符号５０１に示す。
【００５５】
また、出力位置と出力回数の変更により、画像メモリ１５４から出力する画像データの出力位置を変えて画像データを画像処理部１５２へ送る。この画像データは、画像処理部１５２によりシフト、マスク処理などが施された後、プリンタエンジン１５１へ送られ、所定のプロセスを経て記録紙に画像形成される。この出力画像の例を図１１の符号５０２に示す。
【００５６】
つぎに、上述の処理に加え、変倍処理を行なう例について説明する。まず、前述と同様に、使用する原稿の種類を操作・表示部１５３の出力位置選択機能で行ない、出力位置と出力回数を任意に設定し、記録紙サイズまたは変倍率を選択する。なお、ここでは、前述と同様に、図８の左上（Ｐ１）と右下（Ｐ４）の図形を中央出力に選択した場合を例にとって説明する。前述と同様に、スキャナ１０６により原稿（図８参照）を読み取り、その画像データを画像メモリ１５４に記憶する。
【００５７】
画像メモリ１５４に記憶された画像データを特定の位置から出力して画像処理部１５２へ送る。この画像データは、画像処理部１５２により変倍処理が行なわれた後、プリンタエンジン１５１へ送られ、所定のプロセスを経て記録紙に画像形成される。この出力画像の例を図１２の符号６０１（拡大画像），図１３の符号７０１（縮小画像）に示す。
【００５８】
また、出力位置と出力回数の変更により、画像メモリ１５４から出力する画像データの出力位置を変えて画像データを画像処理部１５２へ送る。この画像データは、画像処理部１５２により変倍処理が行なわれた後、プリンタエンジン１５１へ送られ、所定のプロセスを経て記録紙に画像形成される。この出力画像の例を図１２の符号６０２（拡大画像），図１３の符号７０２（縮小画像）に示す。
【００５９】
【発明の効果】
以上説明したように、本発明にかかるデジタル複写機（請求項１）によれば、分割・集約された１つの原稿を原稿読取手段で読み取り、画像記憶手段に記憶すると共に操作・表示手段に概略の画像レイアウトを表示し、画像レイアウトによる出力位置情報にしたがって記録紙に画像を形成することにより、従来、それぞれ複写し、複写した後に切り取るといった作業が、一回の読み取り動作および選択指示によって実現するので、これらの画像出力を行なう際の作業性を向上させることができる。
【００６０】
また、本発明にかかるデジタル複写機（請求項２）によれば、請求項１において、画像レイアウトによる出力位置と当該画像の出力枚数を任意に指示可能に表示するため、原稿の必要な部分を任意の枚数で出力することができると共に、読み取り動作を再度行なうことなく出力画像の位置、領域の選択を行なうことができる。
【００６１】
また、本発明にかかるデジタル複写機（請求項３）によれば、請求項１または２において、画像レイアウトによる出力位置を任意の領域で指示可能に表示するため、利用者が希望とする原稿の必要部分、たとえばテキスト中のイメージのみを取り出すことができる。
【００６２】
また、本発明にかかるデジタル複写機（請求項４）によれば、請求項３において、画像レイアウトによる出力位置を任意の領域で指示可能に表示し、利用者が希望とする原稿の必要部分を取り出す際に、記録紙サイズまたは指定の倍率に合わせて変倍処理を行なうため、その取り出した必要部分が記録紙サイズに合わせて出力されるなど、みやすい状態で、かつ見栄えのある状態出力することができる。
【図面の簡単な説明】
【図１】この発明を実施したデジタル複写機の機構部の構成例を示す図である。
【図２】本発明にデジタル複写機の機能的構成を示すブロック図である。
【図３】図１のデジタル複写機における制御系の一部構成を示すブロック図である。
【図４】図２・図３における操作・表示部の構成例を示す説明図である。
【図５】液晶タッチパネルの表示例を示す説明図である。
【図６】分割・集約された１つの読取原稿から任意ページを出力指定する表示画面例を示す説明図である。
【図７】分割・集約された１つの読取原稿から任意のエリアを出力指定する表示画面例を示す説明図である。
【図８】本発明の実施の形態にかかる読み取り対象の原稿例を示す説明図である。
【図９】図８の原稿から左上〜右下までのそれぞれの出力選択を行なった場合の出力画像例を示す説明図である。
【図１０】図８の原稿から左上および右下の出力選択を行なった場合の出力画像例を示す説明図である。
【図１１】図８の原稿から左上および右下の画像における任意位置の出力選択を行なった場合の出力画像例を示す説明図である。
【図１２】図８の原稿から左上および右下の出力選択を拡大指定して行なった場合の出力画像例を示す説明図である。
【図１３】図８の原稿から左上および右下の出力選択を縮小指定して行なった場合の出力画像例を示す説明図である。
【図１４】本発明の実施の形態にかかる出力位置選択後におけるスキャン動作から画像データの記憶までの動作を示すフロチャートである。
【図１５】本発明の実施の形態にかかる出力位置選択による画像出力動作を示すフローチャートである。
【符号の説明】
１０６　スキャナ
１５０　システムコントローラ
１５１　プリンタエンジン
１５２　画像処理部
１５３　操作・表示部
１５４　画像メモリ
２０５　液晶タッチパネル
２１０　ページ指定キー
２１１　ページ指定画面
２１２　ページ指定ボタン
２１７　エリア指定画面
２１８　エリア指定ボタン
【図１】
2004112286.tif 000003
【図２】
2004112286.tif 000004
【図３】
2004112286.tif 000005
【図４】
2004112286.tif 000006
【図５】
2004112286.tif 000007
【図６】
2004112286.tif 000008
【図７】
2004112286.tif 000009
【図８】
2004112286.tif 000010
【図９】
2004112286.tif 000011
【図１０】
2004112286.tif 000012
【図１１】
2004112286.tif 000013
【図１２】
2004112286.tif 000014
【図１３】
2004112286.tif 000015
【図１４】
2004112286.tif 000016
【図１５】
2004112286.tif 000017